(57)【特許請求の範囲】
【請求項１】
上下面を連通させる配線挿通用の空間を有した天板と、この天板に着脱可能に取り付けられるオプションとを備えてなり、
前記オプションが、オプション本体と、このオプション本体を支持するための前記配線挿通用の空間に挿通させた支柱とを備えたものであり、
前記オプションを前記天板から取り外した状態では、前記支柱が存在していた配線挿通用の空間に配線を挿通させ得るように構成されているものであり、
配線挿通窓を有した前記天板と、前記配線挿通窓の開口縁との間に前記空間を形成した状態で前記配線挿通窓に配された配線カバーと、この配線カバーを前記天板に対して開閉動作可能に支持させるカバー支持機構とを備えているものであり、
前記配線カバーの左右両側端縁と前記配線挿通窓の開口縁との間に常時開口する隙間が形成され、当該隙間に前記支柱が配設されている天板付家具。
【請求項２】
前記オプションが、天板よりも高い位置に配される前記オプション本体である棚板と、この棚板を支持する前記支柱と、この支柱の下端部を前記天板の下面側に止着する取付部とを備えている請求項１記載の天板付家具。
【請求項３】
前記天板の上面と前記棚板の下面との間に、前記配線カバーの開閉及び挿脱を許容するスペースが形成されている請求項２記載の天板付家具。
【請求項４】
前記天板が、前後方向及び左右方向の中央部に前記配線挿通窓を備えたものであり、
前記棚板が、前記配線挿通窓の左右方向寸法よりも大きな長手方向寸法を備えている請求項２又は３記載の天板付家具。
【請求項５】
前記棚板が、前記配線挿通窓の前後方向寸法と略同じ幅寸法を備えている請求項４記載の天板付家具。
【請求項６】
前記オプションが、前記棚板の上に仕切り用のパネルを立設している請求項２記載の天板付家具。
【請求項７】
前記カバー支持機構が、前記配線挿通窓に固定配置された第一、第二の枢支部と、前記配線カバーに設けられ前記第一、第二の枢支部に選択的に支持される被支持部とを備えたものであり、
前記被支持部を第一の枢支部に支持させた場合の使用形態と、前記被支持部を第二の枢支部に支持させた場合の使用形態とを、採り得るように構成されている請求項１、２、３、４、５又は６記載の天板付家具。
【発明の詳細な説明】
【技術分野】
【０００１】
本発明は、オフィス等において好適に使用される天板付家具に関する。
【背景技術】
【０００２】
従来から、配線挿通用の隙間を有した天板を有し、この天板の上に必要に応じてオプションを取り付け得るようにしたテーブルが知られている（例えば、特許文献１を参照）。
【０００３】
従来におけるこの種のテーブルでは、天板に設けられた配線挿通用の隙間とは異なる領域に、オプションを取り付けるための種々の形状・構造をなす受け部材が配された専用領域を有している。オプションが取り付けられていないときには、当該専用領域に配線を挿通させることができない。このため、従来のテーブルでは、オプションを取り付けるための専用領域が存在することに起因して、構造が複雑化してしまうものとなっていた。
【０００４】
なお、以上の事情は、テーブルに限られず、天板を有した家具全般においても同様である。
【先行技術文献】
【特許文献】
【０００５】
【特許文献１】特開２００１−３１４２４１号公報
【発明の概要】
【発明が解決しようとする課題】
【０００６】
本発明は、以上のような事情に着目してなされたもので、オプションを取り付けるために、天板の構造が複雑化してしまうことが好適に抑制された天板付家具を提供することにある。
【課題を解決するための手段】
【０００７】
すなわち、本発明は次の構成をなしている。
【０００８】
請求項１に記載の発明は、上下面を連通させる配線挿通用の空間を有した天板と、この天板に着脱可能に取り付けられるオプションとを備えてなり、前記オプションが、オプション本体と、このオプション本体を支持するための前記配線挿通用の空間に挿通させた支柱とを備えたものであり、前記オプションを前記天板から取り外した状態では、前記支柱が存在していた配線挿通用の空間に配線を挿通させ得るように構成されているものであり、配線挿通窓を有した前記天板と、前記配線挿通窓の開口縁との間に前記空間を形成した状態で前記配線挿通窓に配された配線カバーと、この配線カバーを前記天板に対して開閉動作可能に支持させるカバー支持機構とを備えているものであり、前記配線カバーの左右両側端縁と前記配線挿通窓の開口縁との間に常時開口する隙間が形成され、当該隙間に前記支柱が配設されている天板付家具である。
【００１０】
請求項２に記載の発明は、前記オプションが、天板よりも高い位置に配される前記オプション本体である棚板と、この棚板を支持する前記支柱と、この支柱の下端部を前記天板の下面側に止着する取付部とを備えている請求項１記載の天板付家具である。
【００１１】
請求項３に記載の発明は、前記天板の上面と前記棚板の下面との間に、前記配線カバーの開閉及び挿脱を許容するスペースが形成されている請求項２記載の天板付家具である。
【００１２】
請求項４記載の発明は、前記天板が、前後方向及び左右方向の中央部に前記配線挿通窓を備えたものであり、前記棚板が、前記配線挿通窓の左右方向寸法よりも大きな長手方向寸法を備えている請求項２又は３記載の天板付家具である。
【００１３】
請求項５に記載の発明は、前記棚板が、前記配線挿通窓の前後方向寸法と略同じ幅寸法を備えている請求項４記載の天板付家具である。
【００１４】
請求項６に記載の発明は、前記オプションが、前記棚板の上に仕切り用のパネルを立設している請求項２記載の天板付家具である。
【００１５】
請求項７に記載の発明は、前記カバー支持機構が、前記配線挿通窓に固定配置された第一、第二の枢支部と、前記配線カバーに設けられ前記第一、第二の枢支部に選択的に支持される被支持部とを備えたものであり、前記被支持部を第一の枢支部に支持させた場合の使用形態と、前記被支持部を第二の枢支部に支持させた場合の使用形態とを、採り得るように構成されている請求項１、２、３、４、５又は６記載の天板付家具である。
【発明の効果】
【００１６】
以上説明したように本発明によれば、オプションを取り付けるために、天板の構造が複雑化してしまうことが好適に抑制された天板付家具を提供することができるものとなる。
【図面の簡単な説明】
【００１７】
【図１】本発明の一実施形態を示す斜視図。
【図２】同実施形態における斜視図。
【図３】同実施形態における部分拡大斜視図。
【図４】同実施形態における要部の分解斜視図。
【図５】同実施形態における要部の部分拡大平面図。
【図６】図５におけるＵ−Ｕ線断面図。
【図７】同実施形態における要部の斜視図。
【図８】同実施形態における要部の部分拡大断面図。
【図９】図８におけるＺ部分拡大断面図。
【図１０】同実施形態における要部の部分拡大平面図。
【図１１】図１０におけるＶ−Ｖ線断面図。
【図１２】同実施形態における要部の斜視図。
【図１３】同実施形態における要部の部分拡大断面図。
【図１４】同実施形態における要部の部分拡大平面図。
【図１５】図１４におけるＷ−Ｗ線断面図。
【図１６】同実施形態における斜視図。
【図１７】同実施形態における平面図。
【図１８】同実施形態における部分拡大斜視図。
【図１９】同実施形態における要部の部分拡大平断面図。
【図２０】図１９におけるＸ−Ｘ線断面図。
【図２１】同実施形態における分解斜視図。
【図２２】他の実施形態を示す斜視図。
【発明を実施するための形態】
【００１８】
以下、本発明の一実施形態を、図１〜２１を参照して説明する。
【００１９】
本明細書では、説明の便宜上、図１、及び、図１７に具体的に示しているＸ方向を前後方向と呼ぶものとし、Ｙ方向を左右方向と呼ぶものとする。
【００２０】
この実施形態は、本発明を、オフィス等において好適に使用される天板付家具たるテーブルＡに適用したものである。テーブルＡは、例えば、天板１上において給電が必要なパソコン等の電子機器を使用した執務形態において好適に使用されるものとなっている。
【００２１】
ここで、テーブルＡは、図１〜１５に示すように、天板１にオプションＭを取り付けないオプション不使用態様（Ｎ）と、図１６〜２１に示すように、天板１にオプションＭを取り付けたオプション使用態様（Ｕ）とを採り得るように構成されている。
【００２２】
オプションＭは、いわゆる棚と称されるものであり、天板１よりも高い位置に配されるオプション本体たる棚板Ｌと、棚板Ｌを支持する支柱Ｐと、支柱Ｐを天板１に取り付けるための取付部Ｒとを備えたものである。オプションＭの詳細な説明については後述することとする。
【００２３】
＜オプション不使用態様（Ｎ）＞
まず、オプション不使用態様（Ｎ）のテーブルＡについて詳述する。
【００２４】
テーブルＡは、主として電子機器の配線類を挿通させるための配線挿通窓１１を有した天板１と、前記配線挿通窓１１の開口縁Ｋとの間に配線挿通用の空間である隙間Ｓを形成した状態でその配線挿通窓１１に配された配線カバー２と、この配線カバー２を前記天板１に対して開閉動作可能に支持させるカバー支持機構３とを備えたものである。
【００２５】
天板１は、平面視略正方形状をなすもので、その中央部に前記配線挿通窓１１を有している。この配線挿通窓１１は、平面視略正方形状をなしており、開口端面における天板１の下面側に近い部位には、前記配線挿通窓１１の左右両側端縁に関連させてねじ孔ｈ１を有した取付台座１２が凹設されている。
【００２６】
天板１の下面側には、配線ダクト９を取り付けるための埋設ナット１３と、オプションＭを取り付けるための埋設ナット１４が設けられている。配線ダクト９の取付用の埋設ナット１３は、配線挿通窓１１における四カ所の角部の近傍に配されており、オプションＭを取り付けるための埋設ナット１４は、配線挿通窓１１における左右縁の近傍にそれぞれ配されている。
【００２７】
この実施形態では、テーブルＡは、前記配線カバー２と前記カバー支持機構３との組合せ構造体Ｃａ、Ｃｂを二組備えている。すなわち、配線挿通窓１１の一方の片半部１１ａに一方の組合せ構造体Ｃａを配しており、配線挿通窓１１の他方の片半部１１ｂに他方の組合せ構造体Ｃｂを配している。これら一方の組合せ構造体Ｃａと他方の組み合わせ構造体Ｃｂとは、前記配線挿通窓１１内に前後対称に配置されている。
【００２８】
以下、組み合わせ構造体Ｃａ、Ｃｂを構成する配線カバー２について説明する。
【００２９】
配線カバー２は、平面視略長方形状をなす天壁２１と、この天壁２１の一方の端縁ｊ１から下方に垂下する垂下壁２２と、前記天壁２１の下面に設けられた補強リブ２３とを備えたもので、合成樹脂により一体に形成されている。この配線カバー２は、第一の片持ち軸Ｄ又は第二の片持ち軸Ｅに支持されて天板１に対して起立した開放位置と、天板１と同様な水平姿勢をとる閉止位置との間で回動可能に構成されている。天壁１に設けられた軸受部材Ｆは、前記天壁２１の下面における一方の端縁ｊ１の近傍に左右に振り分けて一対設けられている。換言すれば、軸受部材Ｆは、天壁２１の両側部における垂下壁２２に近接した部位に対をなして配されている。
【００３０】
次いで、組み合わせ構造体Ｃａ、Ｃｂを構成するカバー支持機構３について説明する。
【００３１】
カバー支持機構３は、配線挿通窓１１に固定配置された第一、第二の枢支部たる第一、第二の片持ち軸Ｄ、Ｅと、前記配線カバー２の基端部に設けられ前記第一、第二の片持ち軸Ｄ、Ｅに選択的に支持される被支持部たる軸受部材Ｆとを備えたものである。そして、このカバー支持機構３は、前記軸受部材Ｆを第一の片持ち軸Ｄに支持させた場合と、前記軸受部材Ｆを第二の片持ち軸Ｅに支持させた場合とで、前記配線カバー２の外縁Ｊと前記配線挿通窓１１の開口縁Ｋとの間に形成される隙間Ｓの形態が相互に異なるように構成されている。
【００３２】
すなわち、前記配線カバー２の一方の端縁ｊ１側に設けられた軸受部材Ｆを、第一の片持ち軸Ｄにそれぞれ支持させた状態では、図１〜９に示すように、前記各配線カバー２の他方の端縁ｊ２と前記配線挿通窓１１の開口縁Ｋとの間に前記隙間Ｓ（ｓ１）が形成されるものとなる。また、前記軸受部材Ｆを、前記第二の片持ち軸Ｆにそれぞれ支持させた状態では、図１０〜１３に示すように、前記各配線カバー２における他方の端縁ｊ２間に前記隙間Ｓ（ｓ２）が形成されるように構成されている。なお、前記配線カバー２の左右両側端縁ｊ３と前記配線挿通窓１１の開口縁Ｋとの間には、常時開口する隙間Ｓ（ｓ３、ｓ４）が形成されるように構成されている。
【００３３】
換言すれば、配線挿通用の隙間Ｓは、配線カバー２の配置替え（配線カバー２の軸受部材Ｆを第一の片持ち軸Ｄに支持させるか、又は、配線カバー２の軸受部材Ｆを第二の片持ち軸Ｅに支持させるか、を選択すること。）によって形態が変化する隙間ｓ１、ｓ２と、配線カバー２の配置替えをしても殆ど形態が変化しない隙間ｓ３、ｓ４とを含んでいる。そして、オプションＭにおける支柱Ｐは形態が変化しない隙間ｓ４に挿通されるようになっている。オプション使用態様（Ｕ）におけるテーブルＡでは、オプションＭの支柱Ｐの下端部分が、隙間ｓ４内に配されたものとなっている。
【００３４】
カバー支持機構３は、配線カバー２の軸受部材Ｆを第一の片持ち軸Ｄに支持させた場合に、前記第二の片持ち軸Ｅが閉止位置にある前記配線カバー２の回動端側すなわち他方の端縁ｊ２近傍部を係止するストッパとしての機能を発揮し得るように構成されている。また、カバー支持機構３は、配線カバー２の軸受部材Ｆを第二の片持ち軸Ｅに支持させた場合に、前記第一の片持ち軸Ｄが閉止位置にある前記配線カバー２の回動端側すなわち他方の端縁ｊ２近傍部を係止するストッパとしての機能を発揮し得るように構成されている。
【００３５】
具体的に説明すれば、カバー支持機構３は、前記配線カバー２の両側部に位置させて前記配線挿通窓１１に設けられた左右一対のベース４と、これら各ベース４の前後方向一端側に設けられた第一の片持ち軸Ｄと、前記各ベース４の前後方向他端側に設けられた第二の片持ち軸Ｅと、前記配線カバー２における一方の端縁ｊ１寄りに設けられた左右対をなす軸受部材Ｆとを備えたもので、前記各ベース４が、天板１の取付台座１２にビスｖ１を用いて取付けられている。
【００３６】
ベース４は、第一の片持ち軸Ｄを支持する第一のブロック４１と、第二の片持ち軸Ｅを支持する第二のブロック４２と、前記第一、第二のブロック４１、４２を連結する連結部４３とを備えたもので、前記連結部４２に前記ビスｖ１を挿通させるためのビス挿通孔ｈ２が形成されている。前記連結部４３は、前記取付台座１２に嵌合し得る形状をなしている。第一、第二のブロック４１、４２の内方端面は、前記連結部４３の内方端面よりも内方に位置しており、前記第一、第二のブロック４１、４２間に、前記配線カバー２の両側に常時開口する隙間Ｓ（ｓ３）に連通する空間が形成されている。なお、第一、第二のブロック４１、４２には、開放位置にある配線カバー２における一方の端縁ｊ１側の部位に係わり合う回動範囲規制用の突部ｔ１、ｔ２が設けられている。
【００３７】
第一の片持ち軸Ｄは、図９に示すように、ベース４における第一のブロック４１の内方端面に突設されたもので、大径部ｄ１と小径部ｄ２とを円周方向に隣接させて設けたものである。
【００３８】
第二の片持ち軸Ｅは、ベース４における第二のブロック４２の内方端面に突設されたもので、大径部ｄ１と小径部ｄ２とを円周方向に隣接させて設けたものである。なお、第一の片持ち軸Ｄと第二の片持ち軸Ｅとは前後対称形状をなしている。
【００３９】
軸受部材Ｆは、配線カバー２の下面における左右両側縁部に設けられたもので、第一の片持ち軸Ｄの小径部ｄ２、又は、第二の片持ち軸Ｅの小径部ｅ２に爪先ｆ１１を常時係接させた係止壁ｆ１を備えるとともに、第一の片持ち軸Ｄの小径部ｄ２から大径部ｄ１に至る部位、又は、第二の片持ち軸Ｅの小径部ｅ２から大径部ｅ１に至る部位に爪先ｆ２１を係接させた弾性爪ｆ２とを備えたもので、これら係止壁ｆ１と弾性爪ｆ２とが協働して第一の片持ち軸Ｄ、又は、第二の片持ち軸Ｅを回転可能に包持するようになっている。これらの係止壁ｆ１、及び、弾性爪ｆ２は、前記配線カバー２の下面に一体に形成されている。配線カバー２が開放位置にある場合は、弾性爪ｆ２の爪先ｆ２１が、前記第一、第二の片持ち軸Ｄ、Ｅの小径部ｄ２に添接しつつ、大径部ｄ１との境界部分に形成される段部において係止され得るようになっている。これにより、開放位置にある配線カバー２が閉止位置へ滑らかに遷移してしまうのを規制している。
【００４０】
配線カバー２の下面における他方の端縁ｊ２側の両側部には、ストッパとして機能する場合の第二の片持ち軸Ｅ、又は、ストッパとして機能する場合の第一の片持ち軸Ｄに弾接する補助弾性爪Ｇが設けられている。この補助弾性爪Ｇは、配線カバー２を閉止位置にクリックストップさせておくためのものである。
【００４１】
以上説明した天板１の下面には、前後方向に延びる対をなす第一の補強ビーム５と、左右方向に延びる対をなす第二の補強ビーム６とが前記配線挿通窓１１を囲繞するようにして止着されている。そして、前記第一の補強ビーム５に関連させて前記天板１を支持するための脚７が設けられている。
【００４２】
前記脚７は、前記第一の補強ビーム５に係わり合わせて前記天板１に取付けられたブラケット７１と、このブラケット７１に止着された上下方向に延びた脚本体７２とを備えたものである。
【００４３】
なお、図４における符号４４は、第一のブロック４１に上から嵌着され前記隙間Ｓの形を整えるための化粧用キャップである。
【００４４】
すなわち、この実施形態におけるテーブルＡは、隣接するベース４間にも配線挿通用の空間たる隙間Ｓ（ｓ４）が形成されている。この隙間Ｓ（ｓ４）を利用しない場合には、化粧用キャップ４４を被せることもできるようになっている。
【００４５】
また、符号８は、天板１の配線挿通窓１１の小口端面を隠すためのカバー枠８である。このカバー枠８は、四つのベース４の外周囲に嵌め合わされた状態で配線挿通窓１１に装着されている。符号９は、前記配線挿通窓１１の下方に位置させて前記天板１の下面に取付けられた配線ダクトである。配線ダクト９には、水平壁９１の上に電気供給用の機器や配線等が配置され得るようになっている。
【００４６】
配線ダクト９は、配線ダクト９を取り付けるための埋設ナット１３に図示しないビスを螺着することにより、天板１の下面に取り付けられている。
【００４７】
以上説明したように、本実施形態に係るテーブルＡは、配線挿通窓１１を有した天板１と、前記配線挿通窓１１の開口縁Ｋとの間に配線挿通用の隙間Ｓを形成した状態でその配線挿通窓１１に配された配線カバー２と、この配線カバー２を前記天板１に対して開閉動作可能に支持させるカバー支持機構３とを備えている。そして、カバー支持機構３が、前記配線挿通窓１１に固定配置された第一、第二の片持ち軸Ｄ、Ｅと、前記配線カバー２に設けられ前記第一、第二の片持ち軸Ｄ、Ｅに選択的に支持される軸受部材Ｆとを備えたものであり、前記軸受部材Ｆを第一の片持ち軸Ｄに支持させた場合と、前記軸受部材Ｆを第二の片持ち軸Ｅに支持させた場合とで、前記配線カバー２の外縁Ｊと前記配線挿通窓１１の開口縁Ｋとの間に形成される隙間Ｓの形態が相互に異なるように構成されている。このため、配線挿通窓１１と配線カバー２との間に形成される隙間Ｓの形態を変更可能に構成したテーブルを提供することができるものとなる。
【００４８】
つまり、配線カバー２の軸受部材Ｆを、第一の片持ち軸Ｄに支持させた場合には、図１〜１０に示すように、配線カバー２における他方の端縁ｊ２と配線挿通窓１１における開口縁Ｋとの間、及び、配線カバー２における左右両側端縁ｊ３と配線挿通窓１１における開口縁Ｋとの間にそれぞれ隙間Ｓ（ｓ１、ｓ３）が形成されることになり、概ね平面視コ字形をなす隙間Ｓを構成するものとなる。なお、この実施形態では、前記配線カバー２と前記カバー支持機構３との組合せ構造体Ｃａ、Ｃｂを二組備えており、前記配線挿通窓１１の一方の片半部１１ａに前記一方の組合せ構造体Ｃａを配するとともに前記配線挿通窓１１の他方の片半部１１ｂに前記他方の組合せ構造体Ｃｂを配し、両組み合わせ構造体Ｃａ、Ｃｂは前後対称に配されている。このため、二組の組み合わせ構造体Ｃａ、Ｃｂと配線挿通窓１１との間には、二つのコ字形の隙間が連続することにより構成されたロ字形の隙間Ｓが構成されたもの（以下、この配線カバー２の配設態様を「ロ字形隙間形成タイプ」と称する。）となっている。なお、ロ字形隙間形成タイプでは、両配線カバー２の回動端が近接して配され、両配線カバー２の基端部が離間して配された内開き態様を構成するものとなっている。
【００４９】
その一方で、配線カバー２の軸受部材Ｆを、第二の片持ち軸Ｅに支持させた場合には、図１１〜１３に示すように、配線カバー２における他方の端縁ｊ２同士間、及び、配線カバー２における左右両側端縁ｊ３と配線挿通窓１１における開口縁Ｋとの間にそれぞれ隙間Ｓ（ｓ２、ｓ３）が形成されることになり、全体として概ね平面視Ｈ字形をなす隙間Ｓが構成されたもの（以下、この配線カバー２の配設態様を「Ｈ字形隙間形成タイプ」と称する。）となっている。なお、Ｈ字形隙間形成タイプでは、両配線カバー２の基端部が近接して配され、両配線カバー２の回動端が離間して配された外開き態様を構成するものとなっている。
【００５０】
このように、本実施形態のテーブルＡであれば、閉止位置にある配線カバー２と配線挿通窓１１との間の隙間Ｓの形態を、相互に異なる形態、すなわち、ロ字形隙間形成タイプとＨ字形隙間形成タイプとに変更可能に構成することができるものであるため、そのテーブルＡの利用形態に応じて好適なタイプを選択的に使用することができるものとなっている。
【００５１】
カバー支持機構３が、前記配線カバー２の軸受部材Ｆを第一の片持ち軸Ｄに支持させた場合に、第二の片持ち軸Ｆが前記配線カバー２の回動端側を係止するストッパとしての機能を発揮し得るものとなっている。一方で、カバー支持機構３は、前記配線カバー２の軸受部材Ｆを第二の片持ち軸Ｅに支持させた場合に、第一の片持ち軸Ｄが前記配線カバー２の回動端側を係止するストッパとしての機能を発揮し得るものとなっている。このため、第一、第二の片持ち軸Ｄ、Ｅは、配線カバー２の回動軸としての機能を発揮するだけでなく、配線カバー２の回動端側のストッパとしての機能を発揮し得るものとなっている。
【００５２】
カバー支持機構３が、配線カバー２の両側部に位置させて前記配線挿通窓１１に設けられる左右一対のベース４と、これら各ベース４の前後方向一端側に設けられた前記第一の片持ち軸Ｄと、前記各ベース４の前後方向他端側に設けられた前記第二の片持ち軸Ｅと、前記配線カバー２における一方の端縁部近傍に設けられた左右対をなす前記軸受部材Ｆとを備えたものである。このため、ベース４に第一、第二の片持ち軸Ｄ、Ｅを設けたものであるため、配線挿通窓１１に、第一、第二の片持ち軸Ｄ、Ｅを設けるための設計の自由度に優れたものとなる。
【００５３】
二組の組合せ構造体Ｃａ、Ｃｂを備えており、これらが配線挿通窓１１内に前後対称に配置されている。そして、前記配線カバー２の一方の端縁ｊ１側に設けられた前記軸受部材Ｆを、前記第一の片持ち軸Ｄにそれぞれ支持させた状態で、前記各配線カバー２の他方の端縁ｊ２と前記配線挿通窓１１の開口縁Ｋとの間に隙間Ｓ（ｓ１、ｓ３）が形成され、前記軸受部材Ｆを、前記第二の片持ち軸Ｄにそれぞれ支持させた状態で、前記各配線カバー２の他方の端縁ｊ２間に前記隙間Ｓ（ｓ２）が形成されるように構成されている。このため、閉止位置にある配線カバー２と配線挿通窓１１との間の隙間Ｓの形態を、相互に異なる形態、すなわち、二組の組み合わせ構造体Ｃａ、Ｃｂの配設によって、ロ字形隙間形成タイプとＨ字形隙間形成タイプとに変更可能に構成することができるものとなっている。
【００５４】
配線カバー２の左右両側端縁ｊ３と前記配線挿通窓１１の開口縁Ｋとの間に、常時開口する隙間Ｓ（ｓ３）が形成されるように構成されている。このため、配線カバー２の付け替えに伴って配線類を移動させる必要のない常時開口する隙間Ｓ（ｓ３）が存在することになるため、執務の便宜に資するものとなる。
【００５５】
＜オプション使用態様（Ｕ）＞
次いで、オプション使用態様（Ｕ）のテーブルＡについて、図１６〜図２１を参照して詳述する。
【００５６】
オプション使用態様（Ｕ）のテーブルＡは、前述した図１〜１３に示すものに、棚板Ｌと、棚板Ｌを支持する支柱Ｐとを主体に構成されたオプションＭを取り付けている。テーブルＡは、オプションＭを天板１に支持させるために、支柱Ｐの配設領域として配線挿通用の隙間Ｓ（ｓ４）としていた領域を利用している。
【００５７】
すなわち、図１〜１３に示すテーブルＡにおいて、化粧用キャップ４４を取り外すと、図１４、及び、図１５に示すように、前後のベース４間に配線を挿通させるための隙間ｓ４が形成される。オプション使用態様（Ｕ）では、前後のベース４間、及び、配線挿通窓１１の開口縁Ｋと配線カバー２の左右両側端縁ｊ３との間に形成された隙間ｓ４にオプションＭの構成部材である支柱Ｐを配設している。
【００５８】
詳述すれば、図１６〜２１に示すテーブルＡは、上下面を連通させる配線挿通用の空間たる隙間Ｓ（ｓ１、ｓ２、ｓ３、ｓ４）を有した天板１と、天板１に着脱可能に取り付けられるオプションＭとを備えている。そして、オプションＭが、前後に配されたベース４間に設けられた配線挿通用の隙間Ｓ（ｓ４）に挿通させた支柱Ｐを有している。テーブルＡは、オプションＭを天板１から取り外した状態では、支柱Ｐが存在していた配線挿通用の隙間Ｓ（ｓ４）に配線を挿通させることができるように構成されている。
【００５９】
ここで、テーブルＡにおけるオプションＭ以外の各構成部分は、上述したオプション不使用態様（Ｎ）のテーブルＡと同一であるため、同一の符号を付して説明を省略する。
【００６０】
オプションＭは、天板１よりも高い位置に配されるオプション本体たる棚板Ｌと、棚板Ｌを支持する支柱Ｐと、支柱Ｐを天板１に支持させるための取付部Ｒとを備えている。
【００６１】
棚板Ｌは、図１６、及び、図１７に示すように、配線挿通窓１１の左右方向寸法よりも大きく、且つ、天板１の左右方向寸法よりも小さな長手方向寸法を備えている。棚板Ｌは、配線挿通窓１１の前後方向寸法と略同じ幅寸法を備えたものである。具体的には、配線挿通窓１１は、平面視において略正方形状のものであり、この配線挿通窓１１の上に配設される棚板Ｌは、配線挿通窓１１の一辺の長さよりも大きな長手方向寸法を有するとともに配線挿通窓１１の一辺の長さと略同じ幅寸法を有している。
【００６２】
支柱Ｐは、上下方向に延びる角柱状のもので、この実施形態では金属により作られている。支柱Ｐの上端には、板状の取付部材ｔが設けられている。この取付部材ｔは、金属製のものであり、支柱Ｐの上端部に溶接によって剛結されている。棚板Ｌは、取付部材ｔの上面に添接した状態で図示しない複数のビスにより当該取付部材ｔに取り付けられている。支柱Ｐにおける上下方向の長さ寸法は、天板１の上面と棚板Ｌの下面との間に、配線カバー２の開閉及び挿脱を許容するスペースｓｐが形成され得る値に設定されている。支柱Ｐは、前述したように、配線挿通窓１１の左右両側縁における前後方向中央部分に存在する左右対をなす隙間Ｓ（ｓ４）に配設される。この実施形態では、支柱Ｐは、横断面方形状をなしている。これらの支柱Ｐの左右方向寸法は、隙間Ｓ（ｓ４）の開口寸法内に収まる大きさ、且つ、隙間Ｓ（ｓ４）の開口寸法と略等しい値に設定されている。支柱Ｐの前後方向寸法は、隙間Ｓ（ｓ４）よりも小さな値に設定されている。左右対をなす支柱Ｐは、天板１の面に対して直立する方向に延びてなるものであり、配線挿通窓１１が形成されている平面視領域内にのみ存在したものとなっている。棚板Ｌの左右方向中央部分が支柱Ｐの上端部近傍に位置している。棚板Ｌにおける左右両端側の部位は、支柱Ｐの位置から片持ち状態で左右に延出した形態をなしている。すなわち、棚板Ｌの左右延出部分の下には、使用者が自由に利用することができるスペースｓｐが形成されている。
【００６３】
取付部Ｒは、天板１の下面に添接される取付部本体ｒ１と、この取付部本体ｒ１の内方端から上方に立ち上がる一対の起立部分ｒ２とを備えたもので、例えば、板金素材を折り曲げ加工することにより作られている。
【００６４】
取付部本体ｒ１は、平面視において配線挿通窓１１の開口縁Ｋから天板１の下面に向かって延出した部位を有している。そして、取付部本体ｒ１には、オプションＭを取り付けるための埋設ナット１４に対応する上下方向に貫通するビス挿通孔ｈ３が形成されている。オプションＭは、ビス挿通孔ｈ３に挿通させた図示しないビスにより、天板１に対して取り付けられる。
【００６５】
対をなす起立部分ｒ２は、支柱Ｐの下端部に溶接されている。すなわち、製造の段階では、一対の起立部分ｒ２間には支柱Ｐの下端部が嵌合する隙間（図示せず）が形成されている。そして、起立部分ｒ２間の隙間に、支柱Ｐの下端部を嵌合させた状態で、支柱Ｐの下端部と起立部分ｒ２とを溶接することによって、取付部Ｒと支柱Ｐとが剛結されたものとなっている。
【００６６】
オプションＭを構成している取付部材ｔ、支柱Ｐ、及び、取付部Ｒは、溶接により剛結されて、一体的な部品（以下、取付部材ｔ、支柱Ｐ、及び、取付部Ｒが一体的に形成された部品を「棚板支持部品」という。）となっている。この実施形態では、対をなす棚板支持部品により棚板１を天板１に支持させることができるようになっている。
【００６７】
以上に述べたとおり、本実施形態に示す天板付家具たるテーブルＡは、上下面を連通させる配線挿通用の空間たる隙間Ｓ（ｓ１、ｓ２、ｓ３、ｓ４）を有した天板１と、この天板１に着脱可能に取り付けられるオプションＭとを備えている。そして、オプションＭが、オプション本体たる棚板Ｌと、この棚板Ｌを支持するための配線挿通用の隙間Ｓ（ｓ４）に挿通させた支柱Ｐとを備えている。テーブルＡは、オプションＭを天板１から取り外した状態では、支柱Ｐが存在していた配線挿通用の隙間Ｓ（ｓ４）に配線を挿通させ得るように構成されている。このため、オプションＭを取り付けるために、天板１の構造が複雑化してしまうことが好適に抑制されたテーブルＡを提供することができるものとなる。
【００６８】
つまり、オプションＭを使用しないときには、オプションＭを取り付けるための貫通孔たる隙間Ｓ（ｓ４）が配線を挿通させ得るようになっている。このため、オプションＭを取り付けるために、例えば、平面視においてオプションＭ専用の取付部材占有領域を設けるような必要がない。つまり、この実施形態のテーブルＡは、隙間Ｓ（ｓ４）を、配線挿通用の用途とオプションＭの取り付け用の用途とを兼用させ得るものとなっている。なお、オプションＭにおける取付部Ｒの起立部分ｒ２は、前後に配されたベース４間に位置決めされ得る寸法に設定されている。
【００６９】
配線挿通窓１１を有した天板１と、配線挿通窓１１の開口縁Ｋとの間に隙間Ｓ（ｓ４）を形成した状態で、配線挿通窓１１に配された配線カバー２と、この配線カバー２を天板１に対して開閉動作可能に支持させるカバー支持機構３とを備えている。このため、配線カバー２やカバー支持機構３が存在した状態においても、好適にオプションＭを設けることができるテーブルＡを提供することができるものとなっている。
【００７０】
オプションＭが、天板１よりも高い位置に配されるオプション本体である棚板Ｌと、天板１を支持する支柱Ｐと、支柱Ｐの下端部を天板１の下面側に止着する取付部Ｒとを備えている。このため、棚板Ｌを天板１よりも上の位置に、好適に配設し得るものとなっている。
【００７１】
天板１の上面と棚板Ｌの下面との間に、配線カバー２の開閉及び挿脱を許容するスペースｓｐが形成されている。このため、棚板Ｌが配されているにもかかわらず、配線カバー２の操作を好適に行い得るものとなっている。
【００７２】
天板１が、前後方向、及び、左右方向の中央部に配線挿通窓１１を備えている。そして、棚板Ｌが、配線挿通窓１１の左右方向寸法よりも大きな長手方向寸法を備えている。このため、棚板Ｌの一部が、支柱Ｐから片持ち的に支持された態様を構成し得るものとなり、棚板Ｌの面積を有効に確保し得るものとなっている。
【００７３】
棚板Ｌが、配線挿通窓１１の前後方向寸法と略同じ幅寸法を備えている。このため、天板１の前部及び後部が、棚板Ｌに邪魔されにくいものとなり、使用者における好適な使用に供するものとなる。
【００７４】
カバー支持機構３が、配線挿通窓１１に固定配置された第一、第二の枢支部たる第一、第二の片持ち軸Ｄ、Ｅと、配線カバー２に設けられ第一、第二の片持ち軸Ｄ、Ｅに選択的に支持される被支持部たる軸受部材Ｆとを備えている。そして、軸受部材Ｆを第一の片持ち軸Ｄに支持させた場合の使用形態と、軸受部材Ｆを第二の片持ち軸Ｅに支持させた場合の使用形態とを、採り得るように構成されている。このため、オプションＭを取り付けた状態においても、配線カバー２の配置替えを行い得るものとなっている。
【００７５】
なお、本発明は、以上に詳述した実施形態に限られるものではない。
【００７６】
例えば、オプションは、前述した実施形態に限られないのはもちろんであり、他の一例を挙げれば、図２２に示すものなどを挙げることができる。
【００７７】
図２２に示すオプションＭは、天板１よりも高い位置に配されるオプション本体たる棚板Ｌと、この棚板Ｌを支持する支柱Ｐと、この支柱Ｐの下端部を天板１の下面側に止着する取付部Ｒと、棚板Ｌ上に立設した仕切り用のパネルＶとを備えている。すなわち、図２２のオプションＭは、棚板Ｌの上に仕切り用のパネルＶを立設しているものとなっている。
【００７８】
パネルＶは、棚板Ｌにおける左右方向中間部に立設され、一方の棚板領域Ｌａと他方の棚板領域Ｌｂとを仕切る中間パネル部材１ｖと、棚板Ｌにおける一方の棚板領域Ｌａの端縁近傍に立設され、且つ、内方端部が中間パネル部材１ｖの一端部に接続した前後を仕切る第一の仕切りパネル部材２ｖと、棚板Ｌにおける他方の棚板領域Ｌｂの端縁近傍に立設され、且つ、内方端部が中間パネル部材１ｖの他端部に接続した前後を仕切る第二の仕切りパネル部材３ｖと、を備えている。すなわち、物品の載置領域である棚板領域Ｌａ、Ｌｂが、パネルＶによって、天板１の使用端側で執務を行う使用者に対応して左右に区切られている。
【００７９】
オプション本体は、棚板に限られるものではない。例えば、オプション本体が仕切用のパネルであってもよい。換言すれば、オプションは、棚板を備えていないものであってもよい。
【００８０】
オプション本体である棚板の上にパネルを備えた具体的な他の構成としては、例えば、パネルを棚板の前後方向中央部にのみ立設させた態様が考えられる。
【００８１】
上述した明細書においては説明の便宜上、図１に示すＸ方向を前後方向と呼び、図１に示すＹ方向を左右方向と呼ぶものとしたが、Ｙ方向を前後方向とし、Ｘ方向を左右方向とした構成としてもよい。
【００８２】
その他、各部の具体的構成についても上記実施形態に限られるものではなく、本発明の趣旨を逸脱しない範囲で種々変形が可能である。
【符号の説明】
【００８３】
１…天板
２…配線カバー
３…カバー支持機構
Ｍ…オプション
１１…配線挿通窓
Ａ…テーブル（天板付家具）
Ｓ…隙間（空間）
【図１】
0006733290.tif 000002
【図２】
0006733290.tif 000003
【図３】
0006733290.tif 000004
【図４】
0006733290.tif 000005
【図５】
0006733290.tif 000006
【図６】
0006733290.tif 000007
【図７】
0006733290.tif 000008
【図８】
0006733290.tif 000009
【図９】
0006733290.tif 000010
【図１０】
0006733290.tif 000011
【図１１】
0006733290.tif 000012
【図１２】
0006733290.tif 000013
【図１３】
0006733290.tif 000014
【図１４】
0006733290.tif 000015
【図１５】
0006733290.tif 000016
【図１６】
0006733290.tif 000017
【図１７】
0006733290.tif 000018
【図１８】
0006733290.tif 000019
【図１９】
0006733290.tif 000020
【図２０】
0006733290.tif 000021
【図２１】
0006733290.tif 000022
【図２２】
0006733290.tif 000023